(57)【特許請求の範囲】
【請求項１】
白度測定装置本体の測定位置に測定米収容の試料体を配置し、試料体に収容された測定米に測定光を照射し、その反射光を信号処理して測定米の白度を測定する白度測定装置における校正システムであって、
測定米の白度に相当する白度を有する多数の球形ビーズ状の人造試料を収容した人造試料校正体を白度測定装置本体の測定位置に配置し、この人造試料校正体に収容した人造試料の白度測定により前記測定米の白度測定のための測定感度調整を行うようにしたことを特徴とする白度測定装置における校正システム。
【請求項２】
白度測定装置本体の測定位置に測定米収容の試料体を配置し、試料体に収容された測定米に測定光を照射し、その反射光を信号処理して測定米の白度を測定する白度測定装置における校正システムであって、
測定米である玄米又は精米に相当する白度を有する多数の球形ビーズ状の無機材料のセラミックス材からなる人造試料を収容した各人造試料校正体を白度測定装置本体の測定位置に配置し、これらの人造試料校正体に収容した各人造試料の白度測定により前記玄米又は精米の白度測定のための測定感度調整を行うようにしたことを特徴とする白度測定装置における校正システム。
【請求項３】
白度測定装置本体の測定位置に測定米収容の試料体を配置し、試料体に収容された測定米に測定光を照射し、その反射光を信号処理して測定米の白度を測定する白度測定装置における校正システムであって、
測定米である玄米又は精米に相当する白度を有する多数の球形ビーズ状の有機材料のアクリル材からなる人造試料を収容した各人造試料校正体を白度測定装置本体の測定位置に配置し、これらの人造試料校正体に収容した各人造試料の白度測定により前記玄米又は精米の白度測定のための測定感度調整を行うようにしたことを特徴とする白度測定装置における校正システム。
【請求項４】
白度測定装置本体の測定位置に配置される光透過領域を備えた校正体ケースと、
この校正体ケースに収容した多数の球形ビーズ状の無機材料のセラミックス材からなり測定米の白度に相当する白度を有する人造試料と、
を有することを特徴とする白度測定装置における校正システム用の人造試料校正体。
【請求項５】
白度測定装置本体の測定位置に配置される光透過領域を備えた校正体ケースと、
この校正体ケースに収容した多数の球形ビーズ状の有機材料のアクリル材からなり測定米である玄米又は精米の白度に相当する白度を有する人造試料と、
を有することを特徴とする白度測定装置における校正システム用の人造試料校正体。
【請求項６】
測定米である玄米又は精米の白度に相当する白度を有する多数の球形ビーズ状の無機材料のセラミックス材を複数の層状に重ねた人造試料を備えた試料皿と、
前記無機材料からなる人造試料を充填した試料皿を装着した下ケースと、
光透過領域を有し前記下ケースに対して前記人造試料を密封する状態で被せて人造試料を光透過領域に臨ませた上ケースと、
を有することを特徴とする白度測定装置における校正システム用の人造試料校正体。
【請求項７】
測定米である玄米又は精米の白度に相当する白度を有する多数の球形ビーズ状の有機材料のアクリル材を複数の層状に重ねた人造試料を備えた試料皿と、
前記有機材料からなる人造試料を充填した試料皿を装着した下ケースと、
光透過領域を有し前記下ケースに対して前記人造試料を密封する状態で被せて人造試料を光透過領域に臨ませた上ケースと、
を有することを特徴とする白度測定装置における校正システム用の人造試料校正体。
【請求項８】
測定米の白度に相当する白度を有する多数の球形ビーズ状の人造試料を試料皿に充填する工程と、
人造試料を充填した試料皿を、光透過領域を有する校正体ケース内に装着して人造試料を光透過領域に臨ませた状態とする工程と、
を含むことを特徴とする白度測定装置における校正システム用の人造試料校正体の製造方法。
【請求項９】
測定米である玄米又は精米の白度に相当する白度を有する多数の球形ビーズ状の無機材料のセラミックス材からなる人造試料を、試料皿に複数の層状に重ねる工程と、
前記無機材料からなる人造試料を充填した試料皿を、校正体ケースの下ケース内に装着する工程と、
下ケースに対して光透過領域を有する校正体ケースの上ケースを被せて前記人造試料を密封する状態で光透過領域に臨ませる状態とする工程と、
を含むことを特徴とする白度測定装置における校正システム用の人造試料校正体の製造方法。
【請求項１０】
測定米である玄米又は精米の白度に相当する白度を有する多数の球形ビーズ状の有機材料のアクリル材からなる人造試料を、試料皿に複数の層状に重ねる工程と、
前記有機材料からなる人造試料を充填した試料皿を、校正体ケースの下ケース内に装着する工程と、
下ケースに対して光透過領域を有する校正体ケースの上ケースを被せて前記人造試料を密封する状態で光透過領域に臨ませる状態とする工程と、
を含むことを特徴とする白度測定装置における校正システム用の人造試料校正体の製造方法。
【発明の詳細な説明】
【技術分野】
【０００１】
本発明は、玄米又は精米等の農産物の白度測定を行う白度測定装置において測定感度の調整を行う校正システム、該校正システム用の人造試料校正体及び人造試料校正体の製造方法に関するものである。
【背景技術】
【０００２】
玄米又は精米等の農産物等に対する白度測定は、玄米又は精米等の測定米を白度測定装置の測定位置に配置し、測定米に対する測定光の照射、測定米からの反射光の信号処理を行うことで行っている。そして、この際、白度測定装置の感度調整は、通常白度「０点」と、白度「８０」を超える標準体を用いた２点調整で行っている。
しかし、実際の測定米である玄米又は精米等は、白度「５０」以下であり、新に製造した白度測定装置を需要者に提供する際には、上述した２点調整に加えて、白度「１８」、「４０」付近の２点調整を追加した４点調整を行うことが必要となる。需要者にて使用されている白度測定装置の保守時等においても事情は同じである。
【０００３】
玄米相当の白度「１８」、精米相当の白度「４０」付近の２点調整を行うためには、変質の少ない基準試料が必要となるが、従来においては光学的特性が玄米や精米に近似した代替試料を見出すことは難しく、玄米自体や精米自体を使用せざるを得なかった。
【０００４】
この場合に、玄米や精米は、空気中の水蒸気の吸湿又は空気中への放湿を行う際の力学的歪みによる亀裂の発生、保管中の呼吸作用による粉を吹いたような肌ずれ現象の発生、菌類による汚染、昆虫等による食害等、種々の要因により表面の光学的特性の変化を招来し、この結果白度の測定値の変動を招き基準試料としては不適当なものであった。
【０００５】
従来においても、玄米や精米に対して、整粒処理、加熱処理、樹脂の表面塗装処理、更には試料ケースへの密封処理を施し、「焼き米」を用いた基準試料を製造し、継時的変化の少ない玄米相当の基準試料、精米相当の基準試料とする試みがなされている。
【０００６】
しかし、このような「焼き米」を用いた基準試料の場合においても、「焼き米」が、形状が楕円体状の玄米や精米を原料とすることから、円形の試料皿内に均一に詰めることは難しく、同一ロットの「焼き米」でも試料皿内の並びのばらつきから白度値にもばらつきが生じてしまうこと、原料米を異にするロットの「焼き米」の場合には原料米自体の白度の相違に基づくばらつきが生じてしまうこと、試料ケースへの密封処理が不十分であると菌類、微小昆虫侵入の不都合を招くこと等、白度測定装置において測定感度の校正を行う際に器差の低減を図る上の支障となる種々の問題を包含していた。
【０００７】
特許文献１には、玄米等の試料を、試料皿に山盛りに採取し、試料接触面が曲面をなす試料採取アダプタを被せて、試料面を光反射方向に揃えるために山盛りとするようにした玄米・精米用白度計試料採取アダプタが提案されている。
【０００８】
しかし、この特許文献１の場合においても、白度測定装置の校正に使用する変質の少ない基準試料に関しては何ら開示されておらず、本発明が提供する白度測定装置の校正に使用する新規な人造試料のようなものは存在しないのが現状である。
【特許文献１】特開２００２−５８２１号公報
【発明の開示】
【発明が解決しようとする課題】
【０００９】
解決しようとする問題点は、玄米相当の白度値、精米相当の白度値付近の２点調整を行うために必要な変質の少ない基準試料が存在せず、玄米又は精米の白度測定精度の向上、器差の低減を図れる校正システムが存在しない点である。
【課題を解決するための手段】
【００１０】
本発明は、白度測定装置本体の測定位置に測定米収容の試料体を配置し、試料体に収容された測定米に測定光を照射し、その反射光を信号処理して測定米の白度を測定する白度測定装置における校正システムであって、玄米又は精米のような測定米の白度に相当する白度を有する人造試料を収容した人造試料校正体を白度測定装置本体の測定位置に配置し、この人造試料校正体に収容した人造試料の白度測定により前記測定米の白度測定のための測定感度調整を行うようにしたことを最も特徴とする。
【発明の効果】
【００１１】
本発明によれば以下の効果を奏する。
すなわち、請求項１乃至３の発明によれば、測定米である玄米又は精米に相当する白度を有する無機材料（であるセラミックス材）からなり継時的に変質の少ない人造試料、又は、有機材料（であるアクリル材）からなり継時的に変質の少ない人造試料を用いて、玄米又は精米の白度測定のための測定感度調整を行うことができ、玄米又は精米の白度測定精度の向上を図ることができ、白度測定装置間の器差を低減できる校正システムを提供できる。
【００１２】
請求項４乃至７の発明によれば、白度測定装置本体の測定位置に配置される光透過領域を備えた校正体ケースに、変質の少ない無機材料（であるセラミックス材）又は有機材料（であるアクリル材）からなり、玄米又は精米からなる測定米の白度に相当する白度を有する人造試料を収容した構成で、玄米又は精米の白度測定精度の向上を図ることができ、白度測定装置間の器差低減に寄与できる人造試料校正体を提供できる。
【００１３】
請求項８乃至１０の発明によれば、測定米の白度に相当する白度を有する変質の少ない無機材料（であるセラミックス材）又は有機材料（であるアクリル材）からなる人造試料を試料皿に充填し、この試料皿を、光透過領域を有する校正体ケース内に装着して人造試料を光透過領域に臨ませる工程によって、上記効果を奏する人造試料校正体を簡略に製造することができる。
【発明を実施するための最良の形態】
【００１４】
本発明は、測定米である玄米相当の白度、精米相当の白度付近の感度調整を行うために変質の少ない基準試料を用いて、玄米又は精米の白度測定精度の向上に重要な白度測定装置間の器差低減を図るという目的を、玄米又は精米のような測定米の白度に相当する白度を有する変質の少ない無機材料（であるセラミックス材）又は有機材料（であるアクリル材）からなる人造試料を収容した人造試料校正体を白度測定装置本体の測定位置に配置し、この人造試料校正体に収容した人造試料の白度測定による感度調整を行う事で実現した。
【実施例】
【００１５】
以下に本発明の白度測定装置１における校正システムの実施例を詳細に説明する。
本実施例に係る校正システムは、測定米である玄米又は精米に相当する白度を有する人造試料１０を収容した人造試料校正体２０を白度測定装置１の本体２の測定位置に配置し、人造試料校正体２０に収容した人造試料１０の白度測定により前記玄米又は精米の白度測定のため校正を行うものである。
【００１６】
白度測定装置１は、図１に示すように、例えば略直方体状の本体２を具備している。本体２の上面には、試料体又は人造試料校正体２０を挿脱するための出入口３が設けられている。また、本体２には、各種データ等を表示するデータ表示パネル４を具備し、このデータ表示パネル４にパイロットランプ５、警報ランプ６、平均値ランプ７を配置するとともに、回数・白度表示部８を設けている。更に、本体２には、電源スイッチ１１、感度ボタン１２、平均ボタン１３を配置している。本体２の上面には開閉可能な蓋体１４が配置されている。
【００１７】
次に、白度測定装置１の測定系の構成について図２を参照して説明する。
この測定系の測定原理は、ＪＩＳ−Ｚ８７２２に準拠する反射率方式を採用したものである。
すなわち、安定化電源２１により点灯駆動されるタングステンランプ等の光源ランプ２２からの測定光を左右両側に配置した一対の鏡体２３ａ、２３ｂを介して前記出入口３の内部に形成される測定位置の測定対象物（玄米又は精米、標準体、人造試料１０等）に４５度斜め方向から照射し、測定対象物のからの反射光を集光レンズ２４、フィルタ２５を介してＧａＡｓＰ等からなるフォトダイオード等の受光素子２６に入射し、更に、受光素子２６の出力を増幅器２７で増幅した後、Ａ／Ｄ変換器２８でデジタル信号に変換して制御部２９に入力し、制御部２９において所定のプログラムに基づく演算処理を行って白度を求めて前記データ表示パネル４にてデータ表示するように構成している。
【００１８】
次に、本実施例に係る人造試料１０、人造試料校正体２０について、図３乃至図１０を参照して詳述する。本実施例に係る人造試料１０は、図３に示すように合計４種類の人造試料１０ａ、１０ｂ、１０ｃ、１０ｄから構成されるものである。
【００１９】
合計４種類の人造試料のうち、人造試料１０ａ、人造試料１０ｂは、各々例えば無機材料であるセラミックス材からなる半径１．５ｍｍ程度の多数のビーズ状（球状）に形成している。また、人造試料１０ａは白色系の顔料を含浸させ精米相当の白度（白度４０程度又はその近傍の白度）を有するように形成している。人造試料１０ｂは茶色系の顔料を含浸させ玄米相当の白度（白度１８程度又はその近傍の白度）を有するように形成している。
【００２０】
同様に、人造試料１０ｃ、人造試料１０ｄは、各々例えば有機材料であるアクリル材からなる半径１．５ｍｍ程度の多数のビーズ状（球状）に形成している。また、人造試料１０ｃは白色系の顔料を含浸させ精米相当の白度（白度４０程度又はその近傍の白度）を有するように形成している。人造試料１０ｄは茶色系の顔料を含浸させ玄米相当の白度（白度１８程度又はその近傍の白度）を有するように形成している。
【００２１】
なお、本実施例において、白度とは、国際標準に従い、マグネシウムリボンの燃焼によって生ずる白色煙を付着させた面の白さを１００とし、入射光の無い暗黒状態を０として、この間を１００等分して表すものである。
【００２２】
本実施例に係る人造試料校正体２０は、図４乃至図８に示すように、前記人造試料１０ａ乃至１０ｄのいずれかを収容した下ケース３１と、光が透過可能なフィルタ３８を備えた上ケース３７とを密着重合して略直方体状の校正体ケース３０とし、前記白度測定装置１の出入口３に挿脱させるように構成している。
【００２３】
ここで、前記人造試料校正体２０の製造工程を図５乃至図８を参照して説明する。
先ず、図５に示すように、下ケース３１における上ケース３７との接合面側に設けた８角形状の凹部３２の中心部に環状の内パッキン３３を貼着し、更に接合面側に８角形状の凹部３２の領域を除き外パッキン３４を貼着する。
【００２４】
次に、図６に示すように、上ケース３７に設けた円形窓の部分に、光透過用の円形のフィルタ３８を接着剤を用い、指紋等が付かないようにして貼着する。次に、図７に示すように、外形が８角形状で、人造試料１０の収容部３５ａが６角形状に形成した試料皿３５を振りながら、例えば前記無機材料からなる人造試料１０ａを収容部３５ａが一杯になるように層状に重ねて収容する。
この後、図８に示すように、前記下ケース３１と、前記上ケース３７とを密着重合して、ネジ３９にてネジ止めして略直方体状を呈する校正体ケース３０として、人造試料校正体２０を構成するものである。
この他の人造試料１０ｂ、１０ｃ、１０ｄを各々収容する人造試料校正体２０についても、各々同様に製造するものである。
【００２５】
次に、前記試料皿３５の収容部３５ａに対する人造試料１０ａの収容状態について、図９、図１０、図１１を参照して詳述する。
【００２６】
前記試料皿３５の収容部３５ａは、球状の人造試料１０ａを並べた際の安定性を考慮してその内縁形状を６角形としている。また、収容部３５ａに人造試料１０ａを並べた際に、白度測定のための測定光が収容部３５ａの底面に当たって反射することを防止するためには、球状の人造試料１０ａを例えば３層以上の複数の層状に重ねた構造とする必要がある。
【００２７】
本実施例では、上記観点から試料皿３５の収容部３５ａに対して、図９、図１１に示すように球状の人造試料１０ａを３層構造として列設、積層した構造としている。
【００２８】
また、半径Ｒの人造試料１０ａの３層構造に着目すると、図１０に示すように、下層にある３個の人造試料１０ａと、これらの上に層状に重ねた１個の人造試料１０ａとの中心間距離は、幾何学的に２／３・√６Ｒとなることから、図１１に示すように、試料皿３５の収容部３５ａ内における一層目、二層目の高さは２／３・√６Ｒ、三層目のみ２Ｒとなる。
このような各層の高さの関係は、この他の人造試料１０ｂ、１０ｃ、１０ｄを収容する各人造試料校正体２０に関しても全く同様である。
このような球状の人造試料１０ａを例えば３層に層状に重ねた構造とすることによって、白度測定のための測定光は収容部３５ａの底面に届くことは無く、人造試料１０ａのみに当たって反射することになり、白度測定の正確性を期することができる。
【００２９】
次に、図１２乃至図１５を参照して本実施例に係る白度測定装置１における付属品の主要なものについて説明する。
本実施例に係る白度測定装置１は、図１３に示す測定対象物である玄米又は精米を収容する試料皿４１（２個構成）を内部に装着するための図１２に示す試料ケース４０、更には白度「８０」程度に形成された図１４に示す円盤状の標準体４２を具備するとともに、前記出入口３の内部に形成される測定位置の近傍に配置される図１５に示す青色フィルタ４４（中心波長４４０ｎｍ）を備えている。  
【００３０】
試料ケース４０は、前記人造試料校正体２０と同等の外形寸法に形成され、玄米又は精米又は標準体４２を収容する試料皿４１を装着して前記出入口３の内部に形成される測定位置に試料皿４１を臨ませるようになっている。また、本実施例に係る白度測定装置１は、図示していないが電源ケーブル、アースコード、タングステンランプからなる光源ランプ等を付属品として備えている。
【００３１】
次に、本実施例に係る白度測定装置１における標準体４２又は測定米である精米玄米を収容した試料皿４１を装着した試料ケース４０、前記人造試料１０を用いた人造試料校正体２０による各測定手順について、図１６乃至図１８を参照して説明する。
【００３２】
図１６は、標準体４２を収容した試料皿４１を試料ケース４０内に装着し、試料ケース４０の蓋を閉めた後、この試料ケース４０を本体２の出入口３に挿入して、前記標準体４２を用いた測定準備を行う段階を示すものである。この場合には、電源スイッチ１１の投入後、前記測定系が動作し、警報ランプ６が一旦点灯し、その後消灯した後、前記データ表示パネル４の回数・白度表示部８には標準体４２の白度値（例えば、１、８６．３等）が表示される。また、必要に応じて前記感度ボタン１２を押し、感度調整を行う。このような動作にて測定準備が整う。
図１７は実際に測定対象物である精米又は玄米からなる試料５０を収容した試料皿４１を試料ケース４０内に装着し、試料ケース４０の蓋を閉めた後、この試料ケース４０を本体２の出入口３に挿入して、試料５０の白度測定を行う場合を示すものである。
【００３３】
このような状態で、前記白度測定装置１と同様な新製品１乃至１０、保守製品Ａ乃至Ｅの合計１５台の製品を動作させ、各々玄米又は精米の白度測定を行った結果を図１９に示す。この場合の玄米の白度の範囲は１７．９から１８．１の範囲内であり、また１５台の製品全体の平均値は１８．０であった。また、精米の白度の範囲は３７．３から３７．８の範囲内であり、また１５台の製品全体の平均値は３７．６であった。
【００３４】
次に、前記白度測定装置１の感度調整（校正）を目的として、前記人造試料１０を用いた人造試料校正体２０を本体２の出入口３に挿入する状態を図１８に示す。このような状態において、前記白度測定装置１と同様な新製品１乃至１０、保守製品Ａ乃至Ｅの合計１５台の製品について、前記人造試料校正体２０に前記人造試料１０のうちのアクリル材からなる人造試料１０ｃを収容した場合及び人造試料１０ｄを収容した場合の各測定結果を図１９に示す。
【００３５】
この場合の人造試料１０ｄの白度の範囲は１５．２から１５．０の範囲内であり、１５台の製品全体の平均値は１５．１であった。また人造試料１０ｃの白度の範囲は４２．４から４２．２の範囲内であり、また１５台の製品全体の平均値は４２．３であった。図１９から明らかなように、人造試料１０ｃ、１０ｄの白度値は、１５台の製品全てに亙って殆ど均一化され、１５台の製品間の器差は極めて僅少であることが判明した。
【００３６】
図２０に、図１９に示す各白度の測定値と、平均値との差を示す。
図２０から明らかなように、人造試料１０ｃ、人造試料１０ｄの１５台の製品における各白度の測定値と、平均値との差は全てプラスマイナス０．１の範囲に収まっていることが判明した。
【００３７】
なお、人造試料１０のうちのセラミックス材料を用いた人造試料１０ａ、人造試料１０ｂに関しても、人造試料１０ｃ、人造試料１０ｄの場合と同様極めて均一化された白度値が得られた。
【００３８】
以上説明したように、本実施例によれば、多数の白度測定装置１間の器差の低減を図ることができる校正システムを実現できる。また、かかる校正システムを実現するために不可欠な変質の少ない無機材料又は有機材料からなり、玄米又は精米からなる測定米の白度に相当する白度を有する人造試料１０を用いた人造試料校正体２０を提供できる。更に、前記人造試料校正体２０を簡略に製造し得る製造方法を提供できる。
【００３９】
また、前記人造試料１０の材料としては、セラミックス材、アクリル材の他種々の無機材料、有機材料を選定することが可能である。
【産業上の利用可能性】
【００４０】
本発明は、主として玄米又は精米の白度測定時の校正を行う場合について説明したが、この他の米麦等の農産物の白度測定時の校正にも応用可能である。
【図面の簡単な説明】
【００４１】
【図１】本発明の実施例に係る白度測定装置の外観を示す斜視図である。
【図２】本発明の実施例に係る白度測定装置の測定系を示すブロック図である。
【図３】本発明の実施例に係る４種の人造試料の説明図である。
【図４】本発明の実施例に係る人造試料校正体の斜視図である。
【図５】本発明の実施例に係る人造試料校正体の製造工程を示す図である。
【図６】本発明の実施例に係る人造試料校正体の製造工程を示す図である。
【図７】本発明の実施例に係る人造試料校正体の製造工程を示す図である。
【図８】本発明の実施例に係る人造試料校正体の製造工程を示す図である。
【図９】本発明の実施例に係る人造試料校正体における３層の人造試料の説明図である。
【図１０】本発明の実施例に係る人造試料の積層時の高さの説明図である。
【図１１】本発明の実施例に係る人造試料の複数層積層時の高さの説明図である。
【図１２】本発明の実施例に係る試料ケースの斜視図である。
【図１３】本発明の実施例に係る試料皿の斜視図である。
【図１４】本発明の実施例に係る標準体の斜視図である。
【図１５】本発明の実施例に係る青色フィルタの斜視図である。
【図１６】本発明の実施例に係る標準体、試料ケースの本体への挿入状態を示す斜視図である。
【図１７】本発明の実施例に係る玄米等の測定試料、試料ケースの本体への挿入状態を示す斜視図である。
【図１８】本発明の実施例に係る人造試料校正体の本体への挿入状態を示す斜視図である。
【図１９】本発明の実施例における玄米、精米と、アクリル材からなる玄米相当、精米相当との人造試料の１５台の製品についての白度の測定結果、及び平均値を示す表である。
【図２０】本発明の実施例における玄米、精米と、アクリル材からなる玄米相当、精米相当との人造試料についての１５台の製品に関する白度の平均値に対する各測定値の差を示す表である。
【符号の説明】
【００４２】
１    白度測定装置
２    本体
３    出入口
４    データ表示パネル
５    パイロットランプ
６    警報ランプ
７    平均値ランプ
８    回数・白度表示部
１０    人造試料
１０ａ〜１０ｄ  人造試料
１１    電源スイッチ
１２    感度ボタン
１３    平均ボタン
１４    蓋体
２０    人造試料校正体
２１    安定化電源
２２    光源ランプ
２３ａ、２３ｂ  鏡体
２４    集光レンズ
２５    フィルタ
２６    受光素子
２７    増幅器
２８    Ａ／Ｄ変換器
２９    制御部
３０    校正体ケース
３１    下ケース
３２    凹部
３３    内パッキン
３４    外パッキン
３５    試料皿
３５ａ  収容部
３７    上ケース
３８    フィルタ
３９    ネジ
４０    試料ケース
４１    試料皿
４２    標準体
４４    青色フィルタ
５０    試料
【要約】
【課題】本発明は、測定米である玄米相当の白度、精米相当の白度付近の感度調整を人造試料を用いて行い器差低減を実現す白度測定装置における校正システムを提供する。
【解決手段】本発明の白度測定装置における校正システムは、白度測定装置１の本体２の測定位置に測定米収容の試料体を配置し、試料体に収容された測定米に測定光を照射し、その反射光を信号処理して測定米の白度を測定する白度測定装置１における校正システムで、玄米、精米のような測定米の白度と同等又は近似した白度を有する変質の少ない無機材料又は有機材料からなる人造試料１０を収容した人造試料校正体２０を、本体２の測定位置に配置し、この人造試料校正体２０に収容した人造試料の白度測定による感度調整を行うものである。
【選択図】図４
【図１】
0003616820.tif 000002
【図２】
0003616820.tif 000003
【図３】
0003616820.tif 000004
【図４】
0003616820.tif 000005
【図５】
0003616820.tif 000006
【図６】
0003616820.tif 000007
【図７】
0003616820.tif 000008
【図８】
0003616820.tif 000009
【図９】
0003616820.tif 000010
【図１０】
0003616820.tif 000011
【図１１】
0003616820.tif 000012
【図１２】
0003616820.tif 000013
【図１３】
0003616820.tif 000014
【図１４】
0003616820.tif 000015
【図１５】
0003616820.tif 000016
【図１６】
0003616820.tif 000017
【図１７】
0003616820.tif 000018
【図１８】
0003616820.tif 000019
【図１９】
0003616820.tif 000020
【図２０】
0003616820.tif 000021